【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
液体含浸表面を備える物品であって、前記表面は、含浸液体と、固体特徴の基質とを備え、前記固体特徴の基質は、前記含浸液体をその間またはその中に安定させて含有するように十分に近接して離間され、前記物品は、
ａ）
（ｉ）θｏｓ（ｅ），ｒｅｃｅｄｉｎｇ＝０であることと、
（ｉｉ）θｏｓ（ｖ），ｒｅｃｅｄｉｎｇ＝０およびθｏｓ（ｅ），ｒｅｃｅｄｉｎｇ＝０であることと
のうちの一方または両方が該当し、
式中、θｏｓ（ｅ），ｒｅｃｅｄｉｎｇは、前記含浸液体と異なる前記表面の外部の非気相（下付き文字「ｅ」）の存在下における、前記表面（下付き文字「ｓ」）上の前記含浸液体（下付き文字「ｏ」）の後退接触角であり、θｏｓ（ｖ），ｒｅｃｅｄｉｎｇは、気相（下付き文字「ｖ」）の存在下における、前記表面（下付き文字「ｓ」）上の前記含浸液体（下付き文字「ｏ」）の後退接触角である、こと、
または、
ｂ）
（ｉ）θｏｓ（ｖ），ｒｅｃｅｄｉｎｇ≧０であることと、
（ｉｉ）θｏｓ（ｅ），ｒｅｃｅｄｉｎｇ≧０であることと
のうちの一方または両方が該当し、
式中、θｏｓ（ｖ），ｒｅｃｅｄｉｎｇは、気相（下付き文字「ｖ」）の存在下における、前記表面（下付き文字「ｓ」）上の前記含浸液体（下付き文字「ｏ」）の後退接触角であり、θｏｓ（ｅ），ｒｅｃｅｄｉｎｇは、前記含浸液体と異なる前記表面の外部の非気相（下付き文字「ｅ」）の存在下における、前記表面（下付き文字「ｓ」）上の前記含浸液体（下付き文字「ｏ」）の後退接触角である、こと
を特徴とする、物品。
【請求項２】
ａ
θｏｓ（ｖ），ｒｅｃｅｄｉｎｇ＞０およびθｏｓ（ｅ），ｒｅｃｅｄｉｎｇ＞０の両方であり、
かつ／または、
ｂ）
（ｉ）θｏｓ（ｖ），ｒｅｃｅｄｉｎｇ＜θｃであることと、
（ｉｉ）θｏｓ（ｅ），ｒｅｃｅｄｉｎｇ＜θｃであることと
のうちの一方または両方が該当し、式中、θｃは、臨界接触角である、請求項１（ｂ）に記載の物品。
【請求項３】
（ｉ）θｏｓ（ｖ），ｒｅｃｅｄｉｎｇ＜θ＊ｃであることと、
（ｉｉ）θｏｓ（ｅ），ｒｅｃｅｄｉｎｇ＜θ＊ｃであることと
のうちの一方または両方が該当し、式中、θ＊ｃ＝ｃｏｓ−１（１／ｒ）であり、ｒは、前記表面の固体部分の粗度である、請求項１（ｂ）から請求項２のいずれかに記載の物品。
【請求項４】
ａ）前記物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材であり、
かつ／または、
ｂ）前記表面は、前記固体特徴の上方に延在する、過剰含浸液体の引上領域を備える、請求項１（ｂ）または３のいずれかに記載の物品。
【請求項５】
前記表面の外部の前記非気相の材料をさらに備え、前記物品は、前記非気相材料を含有し、任意の場合に、前記表面の外部の前記非気相の前記材料は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、請求項１から４のいずれかに記載の物品。
【請求項６】
（ａ）０＜φ≦０．２５であり、または、
（ｂ）０．０１＜φ≦０．２５であり、
式中φは、平衡時、非浸水固体（すなわち、前記含浸液体によって浸水されない）に対応する前記液体含浸表面の予測表面積の代表的分画である、請求項１または２のいずれかに記載の物品。
【請求項７】
前記物品は、コンテナ、パイプライン、ノズル、弁、導管、容器、瓶、金型、鋳型、伝送管、ボウル、桶、貯蔵箱、キャップ、または、管である、請求項１〜６のいずれかに記載の物品。
【請求項８】
θｏｓ（ｅ），ｒｅｃｅｄｉｎｇ＝０である、請求項１に記載の物品。
【請求項９】
前記物品は、少なくとも部分的に包囲された内部表面を備え、前記内部表面は、粘度μ１を有する前記表面の外部の相を含有または移送し、前記内部表面は、前記液体含浸表面を備え、前記含浸液体は、粘度μ２を有する水性であり、任意の場合に、
ａ）前記物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材であり、
ｂ）μ１／μ２＞０．１であり、または、
ｃ）前記含浸液体は、前記含浸液体の蒸発を防止または低減させるために、添加剤（例えば、界面活性剤）を備える、
請求項１〜８のいずれかに記載の物品。
【請求項１０】
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、パークロルエチレン、二硫化炭素、フェニルカラシ油、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、請求項１〜９のいずれかに記載の物品。
【請求項１１】
θｏｓ（ｖ），ｒｅｃｅｄｉｎｇ＞０であり、かつ、
（ｉｉｉ）０＜φ≦０．２５であり、式中、φは、平衡時、非浸水固体に対応する前記液体含浸表面の予測表面積の代表的分画であることと、
（ｉｖ）Ｓｏｅ（ｖ）＜０であり、式中、Ｓｏｅ（ｖ）は、γｅｖ−γｅｏ−γｏｖとして定義される拡散係数であり、γは、下付き文字によって指定される２つの相間の界面張力であり、前記下付き文字は、ｅ、ｖ、およびｏから選択され、ｅは、前記含浸液体と異なる前記表面の外部の非気相であり、ｖは、前記表面の外部の気相であり、ｏは、前記含浸液体である、ことと
のうちの一方または両方が該当する、請求項１（ｂ）に記載の物品。
【請求項１２】
前記物品は、腐食および／または汚損を防止する、請求項１〜１１のいずれかに記載の物品。
【請求項１３】
物品を使用する方法であって、前記物品は、液体含浸表面を備え、前記表面は、含浸液体と、固体特徴の基質とを備え、前記固体特徴の基質は、前記含浸液体をその間またはその中に安定させて含有するように十分に近接して離間され、前記物品は、
（ｉ）θｏｓ（ｖ），ｒｅｃｅｄｉｎｇ＞０であることと、
（ｉｉ）θｏｓ（ｅ），ｒｅｃｅｄｉｎｇ＞０であることと
のうちの一方または両方が該当し、式中、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角であり、θｏｓ（ｅ），ｒｅｃｅｄｉｎｇは、前記含浸液体（下付き文字「ｅ」）と異なる前記表面の外部の非気相（例えば、液体、固体、半固体、ゲル）の存在下における、前記表面（下付き文字「ｓ」）上の前記含浸液体（例えば、油、下付き文字「ｏ」）の後退接触角であり、
前記方法は、前記含浸液体と異なる前記表面の外部の前記非気相（例えば、液体または半固体）に前記表面を暴露するステップを含む、方法。
【請求項１４】
請求項１〜１３のいずれかに記載の物品を使用する方法であって、前記方法は、前記含浸液体と異なる前記表面の外部の前記非気相に前記表面を暴露するステップを含む、方法。
【請求項１５】
前記非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、請求項１３または請求項１４のいずれかに記載の方法。
【手続補正２】
【補正対象書類名】明細書
【補正対象項目名】００３４
【補正方法】変更
【補正の内容】
【００３４】
別の側面では、本発明は、請求項２８から４７のいずれかに記載の物品を使用する方法であって、該表面を表面の外部の、含浸液体と異なる該非気相（例えば、液体または半固体）外部に暴露するステップを含む、方法を対象とする。いくつかの実施形態では、非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える。
本発明は、例えば、以下を提供する。
（項目１）
液体含浸表面を備える物品であって、前記表面は、含浸液体と、前記含浸液体をその間またはその中に安定させて含有するように十分に近接して離間される固体特徴の基質とを備え、
（ｉ）０＜φ≦０．２５であって、式中φは、平衡時（例えば、平衡は、擬平衡を包含し得る）、非浸水固体（すなわち、前記含浸液体によって含浸されない、例えば、「非浸水」であるが、依然として、水と接触し得る）に対応する前記液体含浸表面の予測表面積の代表的分画であることと、
（ｉｉ）Ｓｏｗ（ｖ）＜０であって、式中、Ｓｏｗ（ｖ）は、γｗｖ−γｗｏ−γｏｖとして定義される拡散係数であって、γは、下付き文字によって指定される２つの相間の界面張力であって、前記下付き文字は、ｗ、ｖ、およびｏから選択され、ｗは、水であって、ｖは、前記表面と接触する気相であって（例えば、空気）、およびｏは、前記含浸液体であることと、
のうちの一方または両方が該当する、物品。
（項目２）
０＜φ≦０．２５である、項目１に記載の物品。
（項目３）
０．０１＜φ≦０．２５である、項目１に記載の物品。
（項目４）
Ｓｏｗ（ｖ）＜０である、前記項目のいずれかに記載の物品。
（項目５）
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、前記項目のいずれかに記載の物品。
（項目６）
前記固体特徴は、ポリマー固体、セラミック固体、フッ化固体、金属間固体、および複合固体から成る群から選択される少なくとも１つの部材を備える、前記項目のいずれかに記載の物品。
（項目７）
前記固体特徴は、化学的に修飾された表面、コーティングされた表面、接合された単層を伴う表面を備える、前記項目のいずれかに記載の物品。
（項目８）
前記固体特徴は、細孔、空洞、ウェル、相互接続された細孔、および相互接続された空洞から成る群から選択される少なくとも１つの部材を画定する、前記項目のいずれかに記載の物品。
（項目９）
前記固体特徴は、支柱、ナノ針、ナノグラス、略球形粒子、および非晶質粒子から成る群から選択される少なくとも１つの部材を備える、前記項目のいずれかに記載の物品。
（項目１０）
前記固体特徴は、粗面表面を有する（例えば、前記固体特徴は、表面粗度＞５０ｎｍ、＞１００ｎｍ、例えば、また、＜１μｍを有する）、前記項目のいずれかに記載の物品。
（項目１１）
前記粗面表面は、θｏｓ（ｖ），ｒｅｃｅｄｉｎｇ＜θｃであって、式中、θｃは、臨界接触角であるように、その間またはその中に液体の安定した含浸を提供する、項目１０に記載の物品。
（項目１２）
前記液体含浸表面は、前記表面に接触する水滴が、前記表面上にピン固定または貫入されず、かつ４０°未満の転落角αを有するように構成される、前記項目のいずれかに記載の物品。
（項目１３）
前記水滴は、２５°未満の転落角αを有する、項目１２に記載の物品。
（項目１４）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｗ），ｒｅｃｅｄｉｎｇ＝０であることと、
（ｉｉ）θｏｓ（ｖ），ｒｅｃｅｄｉｎｇ＝０およびθｏｓ（ｗ），ｒｅｃｅｄｉｎｇ＝０であることと、
のうちの一方または両方が該当し、式中、θｏｓ（ｗ），ｒｅｃｅｄｉｎｇは、水（下付き文字「ｗ」）の存在下における、前記表面（下付き文字「ｓ」）上の前記含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角である、物品。
（項目１５）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｖ），ｒｅｃｅｄｉｎｇ＞０であることと、
（ｉｉ）θｏｓ（ｗ），ｒｅｃｅｄｉｎｇ＞０であることと、
のうちの一方または両方が該当し、式中、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角であって、θｏｓ（ｗ），ｒｅｃｅｄｉｎｇは、水（下付き文字「ｗ」）の存在下における、前記表面上の（下付き文字「ｓ」）前記含浸液体（例えば、油、下付き文字「ｏ」）の後退接触角である、物品。
（項目１６）
θｏｓ（ｖ），ｒｅｃｅｄｉｎｇ＞０であって、かつθｏｓ（ｗ），ｒｅｃｅｄｉｎｇ＞０の両方である、項目１５に記載の物品。
（項目１７）
（ｉ）θｏｓ（ｖ），ｒｅｃｅｄｉｎｇ＜θｃであることと、
（ｉｉ）θｏｓ（ｗ），ｒｅｃｅｄｉｎｇ＜θｃであることと、
のうちの一方または両方が該当し、式中、θｃは、臨界接触角である、項目１５または１６に記載の物品。
（項目１８）
（ｉ）θｏｓ（ｖ），ｒｅｃｅｄｉｎｇ＜θ＊ｃであることと、
（ｉｉ）θｏｓ（ｗ），ｒｅｃｅｄｉｎｇ＜θ＊ｃであることと、
のうちの一方または両方が該当し、式中θ＊ｃ＝ｃｏｓ−１（１／ｒ）であって、ｒは、前記表面の固体部分の粗度である、項目１５から１７のいずれかに記載の物品。
（項目１９）
前記物品は、パイプライン、蒸気タービン部品、ガスタービン部品、航空機部品、風力タービン部品、眼鏡、鏡、送電線、コンテナ、フロントガラス、エンジン部品、ノズル、管、あるいはその一部またはコーティングから成る群から選択される部材である、項目１５から１８のいずれかに記載の物品。
（項目２０）
内部表面を備える物品であって、少なくとも部分的に、封入され（例えば、前記物品は、油パイプライン、他のパイプライン、消費者製品コンテナ、他のコンテナである）、粘度μ１の流体を含有または移送するために適合され、前記内部表面は、液体含浸表面を備え、前記液体含浸表面は、含浸液体と、前記含浸液体をその間またはその中に安定させて含有するように十分に近接して離間される固体特徴の基質とを備え、前記含浸液体は、水（粘度μ２を有する）を備える、物品。
（項目２１）
μ１／μ２＞１である、項目２０に記載の物品。
（項目２２）
μ１／μ２＞０．１である、項目２０に記載の物品。
（項目２３）
（ｈ／Ｒ）（μ１／μ２）＞０．１である（ｈは、前記固体特徴の平均高さであって、Ｒは、前記パイプの半径または開放システム内の平均流体深度である）、項目２０から２２のいずれかに記載の物品。
（項目２４）
（ｈ／Ｒ）（μ１／μ２）＞０．５である、項目２３に記載の物品。
（項目２５）
Ｒ＜１ｍｍである、項目２３または２４に記載の物品。
（項目２６）
前記含浸液体は、添加剤（例えば、界面活性剤）を備え、前記含浸液体の蒸発を防止または低減させる、項目２０から２５のいずれかに記載の物品。
（項目２７）
前記表面は、前記固体特徴の上方に延在する、過剰含浸液体（例えば、油）の引上領域を備える、項目１から１９のいずれかに記載の物品。
（項目２８）
液体含浸表面を備える物品であって、前記表面は、含浸液体と、前記含浸液体をその間またはその中に安定させて含有するように十分に近接して離間される固体特徴の基質とを備え、
（ｉ）０＜φ≦０．２５であって、式中、φは、平衡時（例えば、平衡は、擬平衡を包含し得る）、非浸水固体（すなわち、前記含浸液体によって含浸されない、すなわち、「非浸水」であるが、依然として、前記表面の外部の非気相と接触し得る）に対応する前記液体含浸表面の予測表面積の代表的分画であることと、
（ｉｉ）Ｓｏｅ（ｖ）＜０であって、式中、Ｓｏｅ（ｖ）は、γｅｖ−γｅｏ−γｏｖとして定義される拡散係数であって、γは、下付き文字によって指定される２つの相間の界面張力であって、前記下付き文字は、ｅ、ｖ、およびｏから選択され、ｅは、前記表面の外部の、前記含浸液体と異なる、非気相（例えば、液体または半固体）であって、ｖは、前記表面の外部の気相（例えば、空気）であって、およびｏは、前記含浸液体であることと、
のうちの一方または両方が該当する、物品。
（項目２９）
０＜φ≦０．２５である、項目２８に記載の物品。
（項目３０）
０．０１＜φ≦０．２５である、項目２８に記載の物品。
（項目３１）
Ｓｏｅ（ｖ）＜０である、項目２８から３０のいずれかに記載の物品。
（項目３２）
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、項目２８から３１のいずれかに記載の物品。
（項目３３）
前記固体特徴は、ポリマー固体、セラミック固体、フッ化固体、金属間固体、および複合固体から成る群から選択される少なくとも１つの部材を備える、項目２８から３２のいずれかに記載の物品。
（項目３４）
前記固体特徴は、化学的に修飾された表面、コーティングされた表面、接合された単層を伴う表面を備える、項目２８から３３のいずれかに記載の物品。
（項目３５）
前記固体特徴は、細孔、空洞、ウェル、相互接続された細孔、および相互接続された空洞から成る群から選択される少なくとも１つの部材を画定する、項目２８から３４のいずれかに記載の物品。
（項目３６）
前記固体特徴は、支柱、ナノ針、ナノグラス、略球形粒子、および非晶質粒子から成る群から選択される少なくとも１つの部材を備える、項目２８から３５のいずれかに記載の物品。
（項目３７）
前記固体特徴は、粗面表面を有する（例えば、前記固体特徴は、表面粗度＜１μｍを有する）、項目２８から３６のいずれかに記載の物品。
（項目３８）
前記粗面表面は、θｏｓ（ｖ），ｒｅｃｅｄｉｎｇ＜θｃであって、式中、θｃが、臨界接触角であるように、その間またはその中に液体の安定した含浸を提供する、項目３７に記載の物品。
（項目３９）
前記液体含浸表面は、前記表面に接触する水滴が、前記表面上にピン固定または貫入されず、かつ４０°未満の転落角αを有するように構成される、項目２８から３７のいずれかに記載の物品。
（項目４０）
前記水滴は、２５°未満の転落角αを有する、項目３９に記載の物品。
（項目４１）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｅ），ｒｅｃｅｄｉｎｇ＝０であることと、
（ｉｉ）θｏｓ（ｖ），ｒｅｃｅｄｉｎｇ＝０およびθｏｓ（ｅ），ｒｅｃｅｄｉｎｇ＝０であることと、
のうちの一方または両方が該当し、式中、θｏｓ（ｅ），ｒｅｃｅｄｉｎｇは、前記含浸液体（下付き文字「ｅ」）と異なる前記表面の外部の非気相（例えば、液体、固体、半固体、ゲル）の存在下における、前記表面（下付き文字「ｓ」）上の前記含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角である、物品。
（項目４２）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｖ），ｒｅｃｅｄｉｎｇ＞０であることと、
（ｉｉ）θｏｓ（ｅ），ｒｅｃｅｄｉｎｇ＞０であることと、
のうちの一方または両方が該当し、式中、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角であって、θｏｓ（ｅ），ｒｅｃｅｄｉｎｇは、前記含浸液体（下付き文字「ｅ」）と異なる前記表面の外部の非気相（例えば、液体、固体、半固体、ゲル）の存在下における、前記表面（下付き文字「ｓ」）上の前記含浸液体（例えば、油、下付き文字「ｏ」）の後退接触角である、物品。
（項目４３）
θｏｓ（ｖ），ｒｅｃｅｄｉｎｇ＞０であって、かつθｏｓ（ｅ），ｒｅｃｅｄｉｎｇ＞０の両方である、項目４２に記載の物品。
（項目４４）
（ｉ）θｏｓ（ｖ），ｒｅｃｅｄｉｎｇ＜θｃであることと、
（ｉｉ）θｏｓ（ｅ），ｒｅｃｅｄｉｎｇ＜θｃであることと、
のうちの一方または両方が該当し、式中、θｃは、臨界接触角である、項目４２または４３に記載の物品。
（項目４５）
（ｉ）θｏｓ（ｖ），ｒｅｃｅｄｉｎｇ＜θ＊ｃであることと、
（ｉｉ）θｏｓ（ｅ），ｒｅｃｅｄｉｎｇ＜θ＊ｃであることと、
のうちの一方または両方が該当し、式中、θ＊ｃ＝ｃｏｓ−１（１／ｒ）であって、ｒは、前記表面の固体部分の粗度である、項目４２から４４のいずれかに記載の物品。
（項目４６）
前記物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材である、項目４２から４５のいずれかに記載の物品。
（項目４７）
前記表面は、前記固体特徴の上方に延在する、過剰含浸液体（例えば、油）の引上領域を備える、項目２８から４６のいずれかに記載の物品。
（項目４８）
前記表面を水に暴露するステップを含む、項目１から２７のいずれかに記載の物品を使用する方法。
（項目４９）
前記表面を前記表面の外部の、前記含浸液体と異なる、前記非気相（例えば、液体または半固体）に暴露するステップを含む、項目２８から４７のいずれかに記載の物品を使用する方法。
（項目５０）
前記非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、項目５０に記載の方法。
（項目５１）
前記表面の外部の（かつ前記表面と接触する）前記非気相の材料をさらに備え、前記物品は、前記非気相材料を含有する［例えば、前記物品は、コンテナ、パイプライン、ノズル、弁、導管、容器、瓶、金型、鋳型、伝送管、ボウル、桶、貯蔵箱、キャップ（例えば、洗濯用洗剤キャップ）、および／または管である］、項目１から４７のいずれかに記載の物品。
（項目５２）
前記表面の外部の前記非気相の材料は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、項目５１に記載の物品。